(57)【要約】【目的】  排水路又は用水路に用いられる一般的にＵ形側溝と呼ばれるものの変形である開架側溝部材であって、付近に生存するヘビ・カエル・カメ・ねずみ等の小動物（以下、小動物と呼ぶ）との共生を計るのに適した側溝路構築に用いるための側溝部材を提供すること。【構成】  側溝路構築に用いる一般的にＵ形側溝部材と呼ばれるものの変形であって、対向する左側壁２２及び右側壁２３が、斜めに開いて立ち上がるＶ形又は湾曲的に開いて立ち上がる変形Ｕ形を含めた形状の開架側溝部材２１であって、上記側溝部材の対向する側壁の内面が実質的に直線的又は非直線的に斜めに立ち上がることにより、相対的に幅の狭い底面から、相対的に幅の広い上面に至る形状を有し、上記側壁の内面に階段状の昇降段２５を形成した、小動物保護用開架側溝部材。【選択図】      図２
2005240363.tif 000002
【特許請求の範囲】
【請求項１】
開架側溝路を構成するために直列的に配置し得る小動物保護用側溝部材であって、
上記側溝部材の対向する側壁の内面が実質的に直線的又は非直線的に斜めに立ち上がることにより、相対的に幅の狭い底面から、相対的に幅の広い上面に至る形状を有し、
上記側壁の内面に階段状の昇降段を形成したことを特徴とする小動物保護用開架側溝部材。
【請求項２】
上記昇降段の各段の断面形状が同一のものを上記側溝部材の側壁の内面の全長に亘って設けたことを特徴とする請求項１記載の小動物保護用開架側溝部材。
【請求項３】
上記昇降段の各段の少なくとも蹴上げ面の高さ及び／又は踏面の幅を変更することにより、断面形状を変えて構成したことを特徴とする請求項１又は２に記載の小動物保護用開架側溝部材。
【請求項４】
上記側溝部材の長さ方向を数箇所の区間に分け、それぞれの区間の側壁の内面に各段の昇降段の断面形状を変えた区間を混在させたことを特徴とする請求項１乃至３の何れか１に記載の小動物保護用開架側溝部材。
【請求項５】
上記側溝部材の長さ方向を少なくとも３ヶ所の区間に分け、その中央区間を除く両隣区間の側壁の内面に昇降段を設け、且つ上記中央区間に対してその中央区間を挟む長さ方向に段違いで隣接する各昇降段の間に傾斜通路を介在させて連結したことにより、つづら折れ連絡路又はＺ形連絡路を形成したことを特徴とする請求項１乃至４の何れか１に記載の小動物保護開架側溝部材。
【請求項６】
上記側溝部材の内壁面に設けた昇降段を、その長さ方向手前端の断面形状と長さ方向先方端の断面形状を変えて構成し、且つ両端間を連続的に結んで昇降段を構成したことにより、各段の少なくとも蹴上げ面の高さが両端間で連続的に変わる傾斜昇降段を設けたことを特徴とする請求項１乃至５の何れか１に記載の小動物保護用側溝部材。
【請求項７】
上記側溝部材の内壁面に設けた昇降段の断面形状を、特定の側溝設置場所において優先的に脱出させようとする小動物の種類や大きさに応じて、昇降段の踏面及び／又は蹴上げ面の角度を選択して構成すること事を特徴とする請求項１乃至６の何れか１に記載の小動物保護用側溝部材。
【発明の詳細な説明】
【技術分野】
【０００１】
本発明は、道路・宅地・農地・山林などの排水路又は用水路に用いられる、一般的にＵ形側溝と呼ばれるものの変形であって、対向する側壁が、斜めに開いて立ち上がるＶ形又は湾曲的に開いて立ち上がる変形Ｕ形を含めた形状の開架側溝（以下総括的に、側溝と呼ぶ）であって、付近に生存するヘビ・カエル・カメ・ねずみ等の小動物（以下、小動物と呼ぶ）が側溝との共生を計るのに適した、工事現場での組立て施工用の工場生産による側溝部材に関するものである。
【背景技術】
【０００２】
従来のＵ形側溝では、側溝内を流れる水を求めて小動物が近寄ろうとしても、壁が垂直に近く、又、壁面がコンクリートの滑らかな面となっているため、小動物が水辺に近寄ることができないケースや、一度側溝内に落下すると脱出できずに側溝内を右往左往し、最後には餓死や水死するケースが多々発生し、生態系や環境に悪影響を及ぼしていた。
【０００３】
このような事態を受けて、最近は小動物が水辺に近寄ったり、側溝内から脱出できるような構造を備えた側溝が開発されている。
【０００４】
現在開発されている側溝をまとめると次の６種類に分けられる。
Ａ）側溝の片側壁の一部１を外側に突出させ、その空間に斜面又は階段状の通路２を設けた側溝部材。図１（Ａ）参照。
【０００５】
Ｂ）側溝の側壁の一部に開口部３を設け、その外部に斜面又は階段状の通路４を設けた側溝部材。図１（Ｂ）参照。
【０００６】
Ｃ）側溝に簡易的な蓋を設置し、その蓋から下流側の底部に向かって、水に浮く板状の斜面５を設けた側溝部材。図１（Ｃ）参照。
【０００７】
Ｄ）側溝内部に斜面又は階段状の通路６を設けた側溝部材。図１（Ｄ）参照。
【０００８】
Ｅ）側溝の側壁の一部に開口部７を設け、その外部は土砂の埋め戻しを行わず解放的な空間８を確保した側溝部材。図１（Ｅ）参照。
【０００９】
Ｆ）側溝内部の底部に山状の通路９を設けた側溝部材。図１（Ｆ）参照。
【発明の開示】
【発明が解決しようとする課題】
【００１０】
側溝は道路・宅地・農地・山林などの雨水排水路又は農業用水路にも用いられる構造物である。但し、工場廃水路に用いられても良いので、雨水排水路用に限定される訳ではない。
【００１１】
従来は、内部の水を流したり送ったりすることに重点が置かれ、小動物が水辺に近寄ることや、誤って落下した場合の配慮はあまりなかった。
【００１２】
以上のことを考慮して、現在開発されている側溝の問題点をまとめると次の６種類に分けられる。
【００１３】
Ａ）側溝の片側壁の一部を外部に突出させ、その空間に斜面又は階段状の通路部分を設けた場合は、側溝が用地境界として使用されることがほとんどであるため、外部の一部に大きな凸部が有ることは実用化において困難なところがある。
【００１４】
さらに、側溝の一方向に斜面又は階段状の通路が設けられるため、小動物の生息域が分断される。これを避けるに、通路部分を数本おきに互い違いに設置した場合は、側溝による空間が凹凸状になるため、設置後の景観が見苦しくなる。
【００１５】
又、通路部分が側溝の長さ方向の一区間に限定されるため、その区間で往来できない場合は、次の通路を探さなければならず、到達できない場合は死に至る場合もありうる。
【００１６】
Ｂ）側溝の側壁の一部に開口部を設け、その外部に斜面又は階段状の通路部分を設けた場合もＡ）と同様に側溝外部の一部に大きな凸部ができるため用地境界の問題から実用化において困難なところがある。
【００１７】
加えて、小動物の生息域が分断され、又、通路部分が限定されるため次の通路を探さなければならない。
【００１８】
さらに、開口部の大きさによっては、側溝の強度低下をまねき、付近が危険にさらされることになる。
【００１９】
Ｃ）側溝に簡易的な蓋を設置し、その蓋から下流側の底部に向かって板状の斜面を設けた場合は、板状の斜面が流水の浮力により上下し、落ち葉等の浮流物を通過させるような構造となっているため、おのずから、通路の方向が限定される。
【００２０】
Ｄ）側溝内部に斜面又は階段状の通路部分を設けた場合は、あらかじめ、その地域を対象とした流量計算により求められた側溝の必要通水断面を阻害するため、実用化において困難なところがある。
【００２１】
Ｅ）側溝の側壁の一部に開口部を設け、その外部は土砂の埋め戻しを行わず解放的な空間を確保した場合は、側溝の内部を水が流れない場合は問題ないが、水が流れる場合は漏水等の問題を生じ、側溝としての本来の機能が失われる。
【００２２】
又、外部の土砂の埋め戻しを行わないような場所は、山間部などの一部に限定される。
【００２３】
Ｆ）側溝内部の底部に山状の通路を設けた場合は、あらかじめ、その地域を対象とした流量計算により求められた側溝の必要通水断面積を減少させるため、実用化において困難なところがある。
【課題を解決するための手段】
【００２４】
以上の問題点を解決するために考えた手段を下記に示す。
Ａ）側溝は用地境界に設置される場合がほとんどであるため、側溝の外部に凸部等を設けないものとする。
【００２５】
Ｂ）側溝は用地境界に設置される場合がほとんどであるため、側溝の外部に付属の構造物を設けないものとする。
【００２６】
Ｃ）通路用斜面又は階段の位置は限定しないものとする。
【００２７】
Ｄ）通路用斜面又は階段の方向は限定しないものとする。
【００２８】
Ｅ）側溝の側壁に機能を低下させるような開口部を設けないこと。
【００２９】
Ｆ）その地域の流量計算で決定された側溝の通水量を減少させないものとする。
【００３０】
上記のＡ）からＦ）を解決するために、この発明では側溝の側壁内面に階段状の昇降段を設け、そこから小動物が自由に側溝内外へ往来できるような構造とした。
【発明の効果】
【００３１】
本発明の側溝を用いることによる効果を下記に箇条書きする。
Ａ）側壁の外部に余分な構造物や突出物を必要としないために、用地境界が明確になる。
Ｂ）側溝を施工する場合に方向等を考える必要が無い。
Ｃ）側壁に開口部等を設けないため、側溝としての強度低下が無い。
Ｄ）小動物は、いかなる場所からでも、外部と側溝内を往来することができる。
Ｅ）本発明の側溝では本来の流水量を減少させない。
【発明を実施するための最良の形態】
【００３２】
図２に示した本発明の側溝部材の第１実施例において、（Ａ）の平面図に示したａ−ａ線で切断して示す（Ｂ）の断面図を用いて説明すると、この図は側溝部材２１を長さ方向に対して直角に切断した断面を表す図であって、水平方向の底版２４と左右に斜めの上下方向に立ち上がる左側壁２２と右側壁２３とから構成され、下部の内幅に対して上部の内幅の方が広くなっており、側壁内面には階段状の昇降段２５が下部（例えば底面）から上部まで設けられている。この実施例では昇降段２５の各段の断面形状はすべて同一である。
【００３３】
図２（Ｃ）に示す左側壁内面図は、左側壁２２を内側から見た図で、同一幅の踏面２５ａ及び同一高さの蹴上げ面２５ｂを有する昇降段２５が側溝部材の全長にわたり設けられている。
【００３４】
図２（Ｄ）に示す右側壁内面図は、右側壁２３を内側から見た図で、同一幅の踏面２５ａ及び同一高さの蹴上げ面２５ｂを有する昇降段２５が側溝の全長にわたり設けられている。
【００３５】
図２（Ｅ）に示す斜視図は、側壁内面の状態を表したもので、昇降段２５の断面形状をわかり易く示したものである。昇降段２５は、複数の踏面２５ａ及び蹴上げ面２５ｂを有する。
【００３６】
ここで、昇降段２５は、側溝部材２１の長さ方向に対して平行に設けられているが、必ずしも平行である必要はない。
【００３７】
図３は、本発明の側溝の第２実施例を示したもので、（Ａ）は平面図、 （Ｂ）は側溝を長さ方向に対して直角にａ−ａ線で切断して示す断面図であって、水平方向の底版３４と左右の上下方向に伸びた左側壁３２と右側壁３３とから構成され、下部の内幅に対して上部の内幅の方が広くなっており、側壁内面には階段状の昇降段３５が下部から上部まで設けられている。この実施例では各段の昇降段３５の断面形状は同一ではなく、大小を任意に配置している。
【００３８】
左側壁内面図（Ｃ）は、左側壁３２を内面から見た図で、任意の高さの昇降段３５が側溝部材の全長にわたり設けられている。
【００３９】
右側壁内面図（Ｄ）は、右側壁３３を内面から見た図で、任意の高さの昇降段３５が側溝の全長にわたり設けられている。
【００４０】
斜視図（Ｅ）は、左側壁内面の状態を表したもので、昇降段３５の断面形状をわかり易くしたものである。３５ａは昇降段の踏面を示し、３５ｂは商工段の蹴上げ面を示す。
【００４１】
この実施例では、昇降段は側溝部材３１の長さ方向と平行に設けられているが、必ずしも平行である必要はない。
【００４２】
図４は、本発明の側溝部材の第３実施例を示したもので、隣接する区間Ｌ１、Ｌ２の昇降段の断面形状ばかりか、夫々の対向する側面の昇降段４５の断面形状も相違した実施形態を示す。（Ａ）は側溝部材４１の長さ方向をＬ１区間とＬ２区間に分けた場合の平面図であり、ａ−ａ線で切断して示す断面図（Ｂ）はＬ１区間を長さ方向に対して直角に切断した断面を示し、水平方向の底版４４と左右の上下方向に立ち上がる左側壁４２と右側壁４３とから構成され、下部の内幅に対して上部の内幅の方が広くなっており、側壁内面には踏面４５ａ及び蹴上げ面４５ｂを有する階段状の昇降段４５が下部から上部まで設けられている。
【００４３】
この実施例では、向き合った左側壁４２と右側壁４３の昇降段４５の形状が相違するばかりでなく、同一側壁に属する各段の昇降段４５の断面形状も同一ではない点に注意されたい。この事実は、同図のｂ−ｂ線で切断して示す断面図（Ｃ）を参照すると、Ｌ２区間の左側壁４２と右側壁４３の各段の昇降段４５の断面形状は同一ではないことからも明らかである。
【００４４】
左側壁内面図（Ｄ）は、左側壁を内面から見た図で、ａ−ａ線断面図（Ｂ）の左側半分に示された左側壁に係る異なった任意高さのＬ１区間の昇降段と、ｂ−ｂ線断面図（Ｃ）の右側半分に示される異なった任意の高さのＬ２区間の昇降段とが設けられている。
【００４５】
右側壁内面図（Ｅ）は、右側壁４３を内面から見た図で、ａ−ａ線断面図（Ｂ）の右半分に示された右側壁に係る異なった任意の高さのＬ１区間の昇降段と、ｂ−ｂ線断面図（Ｃ）右半分に示される異なった任意の高さのＬ２昇降段が設けられている。
【００４６】
斜視図（Ｆ）は、右側壁４３の内面の状態を表したもので、昇降段４５の断面形状をわかり易くしたものである。
【００４７】
側溝部材の長さ方向を数ヶ所の区間に分ける方法において、その分け方は特定しないので、左側壁４２と右側壁４３で区間数を異ならせても良く、又、側壁下部と側壁上部の区間の長さを異ならせても問題ない。
【００４８】
ここで、昇降段４５は側溝部材の長さ方向と平行に設けた例が図示されているが、必ずしも平行である必要はない。
【００４９】
図５は、本発明の側溝部材の第４実施例を示した図である。同図の平面図（Ａ）は、側溝を上部から見た図で、Ｌ１区間はａ−ａ線断面図（Ｂ）に示される比較的大幅の昇降段５５、Ｌ２区間はｂ−ｂ線断面図（Ｃ）に示される半分幅の２本の傾斜通路５８、Ｌ３区間はｃ−ｃ線断面図（Ｄ）に示される比較的大幅の昇降段５５が設けられている。
【００５０】
側溝部材の長さ方向をＬ１区間・Ｌ２区間・Ｌ３区間に分けた場合、ａ−ａ線断面図（Ｂ）はＬ１区間を長さ方向に対して直角に切断した断面を表す図で、水平方向の底版５４と上下方向の左側壁５２と右側壁５３とから構成され、下部の内幅に対して上部の内幅のほうが広くなっており、側壁内面には階段状の昇降段５５が下部から上部まで設けられている。ここで各段の昇降段の断面形状は同一に限らず、大小を任意に配置しても良い。
【００５１】
ｂ−ｂ線断面図（Ｃ）はＬ２区間を長さ方向に対して直角に切断した断面を表す図で、水平方向の底版５４と左右の上下方向の側壁から構成され、下部の内幅に対して上部の内幅の方が広くなっており、側壁内面には階段状の傾斜通路５８が下部から上部まで設けられている。
【００５２】
ｃ−ｃ線断面図（Ｄ）はＬ３区間を長さ方向に対して直角に切断した断面を表す図で、水平方向の底版５４と、上下方向に立ち上がる左側壁５２と右側壁５３とから構成され、下部の内幅に対して上部の内幅のほうが広くなっており、側壁内面には階段状の昇降段５５が下部から上部まで設けられている。ここで各段の断面形状は同一に限らず、大小を任意に配置しても良い。
【００５３】
左側壁内面図（Ｅ）は、左側壁５２を内面から見た図で、Ｌ１区間はａ−ａ線断面図（Ｂ）に示される昇降段５５、Ｌ２区間はｂ−ｂ線断面図（Ｃ）に示される傾斜通路５８、Ｌ３区間はｃ−ｃ断面図（Ｄ）に示される昇降段５５が設けられている。
【００５４】
右側壁内面図（Ｆ）は、右側壁５３を内面から見た図で、Ｌ１区間はａ−ａ線断面図（Ｂ）に示される昇降段、Ｌ２区間はｂ−ｂ線断面図（Ｃ）に示される傾斜通路５８、Ｌ３区間はｃ−ｃ線断面図（Ｄ）に示される昇降段が設けられている。
【００５５】
斜視図（Ｇ）は、側壁内面の状態を表したもので、請求項５の記載に係る「つづら折れ連絡路」の構成を、分かり易く例示している。
【００５６】
Ｌ２区間に例示した傾斜通路は、隣接するＬ１区間とＬ３区間を結んで、段から段への小動物の移動又は往来を容易化するための、バリアフリー対応例として配置した。なお、図５に示す実施例においては、Ｌ１区間及びＬ３区間の昇降段の断面形状を夫々異ならせて例示しているが、Ｌ１区間及びＬ３区間の昇降段の形状を同一又は段違いの形状にすることにより他の連絡路構成、例えば右上がりの傾斜通路のみを設けた「Ｚ形連絡路」の構成にしても良い。
【００５７】
側溝部材の長さ方向を何ヶ所の区間に分けるかは特定しないので、左側壁と右側壁で区間数が異なっても良く、又、側壁下部と側壁上部の区間の長さが異なっても問題ない。さらに、どの区間に設けるかに特定せず、又例示の昇降段の形状とは異なっても差し支えない。
【００５８】
ここで、昇降段は側溝部材の長さ方向と平行に設けられているが、必ずしも平行である必要は無い。
【００５９】
図６は、本発明の側溝部材の第５実施例を示したものであって、図４に示す第３実施例の変形に相当する。即ち、変形前の図４に示す側溝部材の実施態様を振り返って見ると、左側の区間Ｌ２の昇降段４５の段毎に相違する各蹴上げ面４５ｂの高さは、区間Ｌ２内では夫々一定の高さを維持して各踏面４５ａは水平である。
【００６０】
同様にその右側の区間Ｌ１の昇降段４５の段毎に相違する各蹴上げ面４５ｂの高さは、区間Ｌ２内では夫々一定の高さを維持して各踏面４５ａは水平である。そして、両区間の中央境界線において高さが突然に変更されている。この状態は図４（Ｆ）の斜視図に明示されている。
【００６１】
これに対して、図６においてはその斜視図（Ｆ）に見られるとおり、各側溝部材の左端にある昇降段の蹴上げ面６５ｂから各側溝部材の右端にある高さの異なる蹴上げ面６５ｂへと連続されて、徐々に高さが変わり、向って左右方向に斜面をなす踏み面６５ａを形成している。
【００６２】
ここで、例えば図６（Ｆ）の向って右端の昇降段の最下段の蹴上げ面６５ｂ１を見ると、ここは相対的に低く上り易くなっている。 但し右端で直登を試みると、右端の下から二番目の蹴上げ面６５ｂ２の高さが相対的に高くなっているので、上りにくい。この場合は一番下の昇降段の踏面６５ａ１から直登せずに、踏み面６５ａ１の上を伝って左へ進むと、相対的に低い第二番目の蹴上げ面６５ｂ３の足下に到達する。
【００６３】
その蹴上げ面６５ｂ３を昇ってから踏面６５ａ２上を伝って右に進むと、下から二番目の昇降段の踏面６５ａ２の右端の上に難なく到達することができる。  この要領で、上り易いところを選んで昇ることにより左側壁６２の一番上の踏面に到達でき、つまり、脱出に成功することができる。
【００６４】
図６のａ−ａ線断面図（Ｂ）及びｂ−ｂ線断面図（Ｃ）を参照すると、下部の内幅に対して上部の内幅の方が広くなっており、側壁内面には階段状の昇降段が下部から上部まで設けられているが、各段の昇降段６５の断面形状は同一ではなく、大小を任意に配置されていることが分かる。
【００６５】
図７は、側溝設置場所における特殊事情に応じて、優先的に脱出させようとする小動物の種類や大きさに応じて、選択されるべき昇降段６５の断面形状を実線ａ−ｂ−ｃで結んで例示した図である。
【００６６】
同図の（Ａ）は、最も標準的な昇降段の断面形状を示す図であって、側溝踏面７５ａを水平線に対して平行（θ１＝１８０°）に、蹴上げ面７５ｂを垂直（θ２＝２７０°）に形成した例を示す。
【００６７】
同図の（Ｂ）は、踏面７５ａの奥を低くして踏面から滑り落ち難くした（１８０°＜θ１＜２７０°）例を示す。
【００６８】
同図の（Ｃ）は、踏面７５ａの奥を高くすることにより、例えば蛇のような体型が細長く鱗で覆われ手足がない動物の場合に、何段にも亘って攀じ登り易い昇降段の断面形状（９０°＜θ１＜１８０°）の例を示す。
【００６９】
同図の（Ｄ）は、蹴上げ面７５ｂをオーバハングにして踏面７５ａを広くした（１８０°＜θ２＜２７０°）例を示す。
【００７０】
同図の（Ｅ）は、蹴上げ面７５ｂの傾斜を多少緩くして垂直登攀を回避できる形態として、例えば蛇のような体型が細長く鱗で覆われ手足がない動物の場合に何段にも亘って攀じ登り易い昇降段の断面形状（２７０°＜θ２＜３６０°）の例を示す。
【００７１】
同図の（Ｆ）は、踏面７５ａの奥を低くし、且つ蹴上げ面７５ｂをオーバーハングにした（θ１＜θ２，１８０°＜θ１＜２７０°，１８０°＜θ２＜２７０°）例を示す。このようなオーバーハング断面形状の昇降段で側壁内面を構成した場合には、側壁内面をＶ形に斜め直線状に立ち上げる必要はなく、途中から垂直に近い形で立ち上げて、Ｕ形に構成しても良い。
【００７２】
同図の（Ｇ）は、（１８０°＜θ１＜２７０°，２７０°＜θ２＜３６０°）にした例を示す。
【００７３】
同図の（Ｈ）は、（９０°＜θ１＜１８０°，１８０°＜θ２＜２７０°）にした例を示す。
【００７４】
同図の（Ｉ）も又、前述の（Ｃ）や（Ｅ）と同様に、例えば蛇のような体型が細長く鱗で覆われ手足がない動物の場合に何段にも亘って攀じ登り易い昇降段の断面形状（９０°＜θ１＜１８０°，２７０°＜θ２＜３６０°）にした例を示す。
【００７５】
上記に示した全ての実施例において、 斜めに開いて立ち上がる対向する側壁が、直線的に立ち上がる例を示したが、 この例に限定するものではなく、 昇降段の高さ、及び／又は踏みしろの幅（広さ）の変化に対応して、非直線的に立ち上がるようにしても良い。
【００７６】
流水量が、常時比較的多く、底板付近の昇降段は不要であると考えられる場所に用いる開架側溝路用のものに関しては、 昇降段を側溝の比較的上部に限定して設けることによって、製造コストを低減しても良い。
【図面の簡単な説明】
【００７７】
【図１】図１（Ａ）〜（Ｆ）は、従来公知の小動物保護用側溝部材を示す図である。
【図２】図２（Ａ）〜（Ｅ）は、本発明の側溝部材の第１実施例を示す図である。
【図３】図３（Ａ）〜（Ｅ）は、本発明の側溝部材の第２実施例を示す図である。
【図４】図４（Ａ）〜（Ｆ）は、本発明の側溝部材の第３実施例を示す図である。
【図５】図５（Ａ）〜（Ｇ）は、本発明の側溝部材の第４実施例を示す図である。
【図６】図６（Ａ）〜（Ｆ）は、本発明の側溝部材の第５実施例を示す図である。
【図７】図７（Ａ）〜（Ｉ）は、各昇降段の踏面、及び蹴上げ面の実施態様の断面形状を、実線ａ−ｂ−ｃで結んで例示した図である。
【符号の説明】
【００７８】
１  片側壁の一部
２、４、６  斜面又は階段状の通路
３、７  開口部
５  水に浮く板状の斜面
８  開放的な空間
９  山状の通路  
２１，３１，４１，５１，６１  側溝部材
２２，３２，４２，５２，６２  左側壁
２３，３３，４３，５３，６３  右側壁
２４，３４，４４，５４，６４  底版
２５，３５，４５，５５，６５  昇降段
６５ａ  踏面
６５ｂ  蹴上げ面
Ｌ１，Ｌ２，Ｌ３  区間
【図１】
2005240363.tif 000003
【図２】
2005240363.tif 000004
【図３】
2005240363.tif 000005
【図４】
2005240363.tif 000006
【図５】
2005240363.tif 000007
【図６】
2005240363.tif 000008
【図７】
2005240363.tif 000009